(57)【要約】【課題】キャップの開閉が容易で、しかもキャップの紛失がないポンプ式スプレー容器を提供すること。【解決手段】容器本体の上面長手方向後方にポンプ本体を備え、ポンプ本体上部に設けられた押圧ボタンを下方向に押圧すると、容器本体内に収納された内容液を前方に向けて延設されたノズルから噴射するポンプ式スプレー容器に、押圧ボタンとノズルとを覆うキャップを、長手方向側方に設けられたヒンジを介して開閉自在に取り付けた。これによりポンプ式スプレー容器は、片手でキャップを開閉して内容液を噴射でき、使用時キャップを両手で外す必要がなく、使い勝手が良好になり、またキャップを紛失することがない。【選択図】  図１
2005022664.tif 000002
【特許請求の範囲】
【請求項１】
容器本体の上面長手方向後方にポンプ本体を組み付け、該ポンプ本体上部に設けられた押圧ボタンを下方向に押圧すると、前記容器本体内に収納された内容液が前方に向けて延設されたノズルから噴射されるポンプ式スプレー容器において、
前記押圧ボタンと前記ノズルとを覆うキャップを、長手方向側方に設けられたヒンジを介して開閉自在に取り付けたことを特徴とするポンプ式スプレー容器。
【請求項２】
前記容器本体に嵌合する嵌合筒体と、該嵌合筒体に、長手方向側方に設けられたヒンジを介して開閉自在に取り付けられた蓋部とから前記キャップを構成し、
かつ前記嵌合筒体に、前記押圧ボタンと前記ノズルとの間に前方に向けて傾斜した傾斜面を設け、該傾斜面の中央に形成した切欠きを介して前記ノズルを前方に臨ませたことを特徴とする請求項１に記載のポンプ式スプレー容器。
【発明の詳細な説明】
【０００１】
【発明の属する技術分野】
本発明は、容器本体にポンプ本体を備え、ポンプ本体の押圧ボタンを押圧して喉薬等容器内に収納されている内容液を噴射させるポンプ式スプレー容器に関する。
【０００２】
【従来の技術】
ポンプ式スプレー容器は、容器本体にポンプ機構を備え、ポンプ機構の押圧ボタンを押圧すると容器本体内に収納されている内容液がポンプ作用により圧縮され噴射口から噴射するようになっている。このようなポンプ式スプレー容器は、通常ポンプ機構の押圧ボタンにオーバーキャップを被せ、不用意に押圧ボタンが押圧されて内容液が噴射してしまわないようにしている。
【０００３】
また例えば内容液が喉薬など口内への噴射液の場合は、衛生面からポンプ式スプレー容器のノズル口に蓋をし、埃などが付着しないようにしていた。
【０００４】
そこで、従来のポンプ式スプレー容器は、全体を縦方向に長い円筒状の容器にして、容器本体の上部にポンプ機構を配置し、ポンプ機構の側面に噴射口を開口させ、押圧ボタンを押圧すると噴射口から内容液を噴射させるとともに、円筒状のオーバーキャップをポンプ機構の上部から被せて押圧ボタンと噴射口とをオーバーキャップで覆うように形成されていた。（例えば特許文献１参照。）。
【０００５】
【特許文献１】
特開２０００−４４４４８号公報。
【０００６】
【発明が解決しようとする課題】
しかしながら従来のスプレー容器は、オーバーキャップを上方に持ち上げ、容器本体からオーバーキャップを取り外さなければ押圧ボタンを押して内容液を噴射できないため、使用中は常にオーバーキャップを持っていなければならず手間がかかり、またオーバーキャップをどこかに置き忘れて紛失してしまうことがあった。
【０００７】
また、押圧ボタンと噴射口とを１つのキャップで覆うため、容器本体の側方に噴射ノズルを長く突出させると、オーバーキャップが大きくなり扱いにくくなる。また突出した噴射口の先端のみをカバーで覆った場合には、押圧ボタンの誤操作を防止できないという問題があった。
【０００８】
本発明は、押圧ボタンとノズルとを覆うキャップを片手で開閉でき、しかも使用時に容器本体からキャップを取り外す必要がない使い勝手の良好なポンプ式スプレー容器を提供することを目的とする。
【０００９】
【課題を解決するための手段】
本発明は、上記課題を解決するため、次のようにポンプ式スプレー容器を構成した。
【００１０】
請求項１に記載の発明は、容器本体の上面長手方向後方にポンプ本体を組み付け、ポンプ本体上部に設けられた押圧ボタンを下方向に押圧すると、容器本体内に収納された内容液が前方に向けて延設されたノズルから噴射されるポンプ式スプレー容器において、押圧ボタンとノズルとを覆うキャップを、長手方向側方に設けられたヒンジを介して開閉自在に取り付けてポンプ式スプレー容器を構成した。これにより、片手でキャップを開閉して内容液を噴射でき、使用時キャップを両手で外す必要がなく、またキャップを紛失することがない。
【００１１】
請求項２に記載の発明は、請求項１に記載のポンプ式スプレー容器において、容器本体に嵌合する嵌合筒体と、嵌合筒体に、長手方向側方に設けられたヒンジを介して開閉自在に取り付けられた蓋部とからキャップを構成し、かつ嵌合筒体に、押圧ボタンとノズルとの間に前方に向けて傾斜した傾斜面を設け、傾斜面の中央に形成した切欠きを介してノズルを前方に臨ませたこととした。
【００１２】
これにより、蓋部を嵌合筒体より開閉し、押圧ボタンを押して内容液を噴射できるとともに、ノズル噴射口と押圧ボタン側との間に仕切りが形成でき、衛生的にできる。
【００１３】
【発明の実施の形態】
本発明にかかるポンプ式スプレー容器の一実施形態を、図面を参照しながら説明する。
【００１４】
ポンプ式スプレー容器２（以下、スプレー容器２とする。）は、図１及び図２に示すように容器本体４と、容器本体４の口部５に組み付けたポンプ本体６と、容器本体４の上部を覆うキャップ体８から構成されている。容器本体４は、合成樹脂等からなる底面が前後方向に縦長の筒状体で、上面に口部５が容器本体４の長手方向の後方に偏って設けてある。口部５の外周には螺条７が形成してあり、ポンプ本体６はこの螺条７に着脱自在に螺合組み付けされている。
【００１５】
ポンプ本体６は、図６に示すように上部に押圧ボタン１４、横方向に先端部が延設された噴射ノズル１６を備えたポンプ機構であり、押圧ボタン１４の上面を下方に押圧すると、内部で内容液が圧縮されて噴射ノズル１６の先端に形成された開口１７から内容液を噴射する。
【００１６】
容器本体４の肩部１１には、嵌合用の突条１３が周状に形成してあり、その突条１３にキャップ体８の下端に形成された突条９が嵌合している。
【００１７】
キャップ体８は、容器本体４の側面と連続するように、ほぼ同じ形状で形成されており、容器本体４の突条１３に嵌合する嵌合筒体１８と、嵌合筒体１８の側方に設けられたヒンジ１９（図２、図３に示す。）を介して回動自在に取り付けられた蓋部２０とから一体に形成されている。尚、キャップ体８を一体に成形せず、嵌合筒体１８と蓋部２０と個別に成形し、組み付けによってヒンジ１９を構成してもよい。
【００１８】
嵌合筒体１８は、容器本体４の側面に沿った筒状体で、押圧ボタン１４の周囲では高さが低く、押圧ボタン１４の押圧動作に嵌合筒体１８が干渉しないようになっており、長手方向中央付近で高さが高くなり、その立ち上がり部分２１から先端まで前壁２２がなだらかに下がりながら正面に延設されている。前壁２２には、長円形の切欠き２３が中央に形成してあり、その切欠き２３に噴射ノズル１６の先端部が通り、押圧ボタン１４側と噴射ノズル１６とを区画するとともに押圧ボタン１４の押圧動作に伴って上下動する噴射ノズル１６が前壁２２に当接しないようになっている。
【００１９】
蓋部２０は、嵌合筒体１８の側面と同一平面となるよう形成してあり、ヒンジ１９と逆側に指掛け用の突片２５、及び蓋部２０を嵌合筒体１８に留める係合部（図示せず。）を備えている。図５に蓋部２０を閉じ、噴射ノズル１６と押圧ボタン１４とを覆った状態を示す。
【００２０】
次に、スプレー容器２の使用方法について説明する。
【００２１】
容器本体４の内部には喉薬など口内用噴射液が収納してあり、口部５にポンプ本体６が螺合により組付けられ、キャップ体８が容器本体４の肩部１１に嵌合している。
【００２２】
内容液を噴射させるときは、例えば右手で容器本体４を握り、握った手の親指で突片２５を上方に持ち上げ嵌合筒体１８から蓋部２０を側方に傾動させる。すると図３、図４に示すように蓋部２０が開放され、スプレー容器２の後方に押圧ボタン１４が現れ、かつ前壁２２の切欠き２３から噴射ノズル１６の先端が突出する。
【００２３】
そして、押圧ボタン１４を下方に押圧すると容器本体４から吸上げた内容液がポンプ本体６のポンプ作用により加圧され噴射ノズル１６の開口１７から噴射される。その際、蓋部２０が側方に移動しており、また切欠き２３が長円形に形成してあることから、押圧ボタン１４の押圧動作や噴射ノズル１６からの内容液の噴射に何ら支障を生じさせない。
【００２４】
蓋部２０を戻し係合部を嵌合筒体１８に組み付けると、蓋部２０が嵌合筒体１８に固定され、押圧ボタン１４と噴射ノズル１６がキャップ体８内に収納されるので、押圧ボタン１４が誤って押圧されることがなく、また噴射ノズル１６の開口１７等に埃などが付着することが防止される。
【００２５】
尚、上記例では喉薬を収納した例について説明したが、本発明のスプレー容器はそれに限るものではなく、消毒薬、芳香剤、洗浄剤等内容液は問わず、また噴射ではなく霧状に噴霧するノズルでもよい。更に、片手で把持できる大きさ、形状としたがそれに限らず、それより大きくとも、あるいは小さくともよい。
【００２６】
【発明の効果】
本発明のポンプ式スプレー容器によれば、前方に向けて延設された噴射ノズルと押圧ボタンとを一つのキャップ体で覆うことができ、しかも蓋部のヒンジを側方に設け開閉自在としたので、片手で蓋部を開放して現れた押圧ボタンを押圧でき、内容液を容易に噴射させることができ、また不用意に押圧ボタンを押して内容液を噴射させてしまうことがなく、かつ噴射ノズル周辺を衛生的に保つことができる。
【００２７】
更にキャップ体を容器本体から取り外す必要がなく、蓋部がヒンジを介して開閉自在に取り付けられていることから、キャップ体や蓋部を紛失することがない。
【図面の簡単な説明】
【図１】本発明にかかるポンプ式スプレー容器の一実施形態を示す一部断面側面図である。
【図２】図１に示すポンプ式スプレー容器を示す一部断面正面図である。
【図３】図１に示すポンプ式スプレー容器を示す一部断面正面図である。
【図４】本発明にかかるポンプ式スプレー容器を示す斜視図である。
【図５】本発明にかかるポンプ式スプレー容器を示す斜視図である。
【図６】ポンプ本体を示す一部断面図である。
【符号の説明】
２  ；  スプレー容器
４  ；  容器本体
５  ；  口部
６  ；  ポンプ本体
８  ；  キャップ体
９  ；  突条
１１；  肩部
１３；  突条
１４；  押圧ボタン
１６；  噴射ノズル
１７；  開口
１８；  嵌合筒体
１９；  ヒンジ
２０；  蓋部
２１；  立ち上がり部分
２２；  前壁
２３；  切欠き
２５；  突片
【図１】
2005022664.tif 000003
【図２】
2005022664.tif 000004
【図３】
2005022664.tif 000005
【図４】
2005022664.tif 000006
【図５】
2005022664.tif 000007
【図６】
2005022664.tif 000008
【手続補正書】
【提出日】平成15年7月11日(2003.7.11)
【手続補正１】
【補正対象書類名】図面
【補正対象項目名】全図
【補正方法】変更
【補正の内容】
【図１】
2005022664.tif 000009
【図２】
2005022664.tif 000010
【図３】
2005022664.tif 000011
【図４】
2005022664.tif 000012
【図５】
2005022664.tif 000013
【図６】
2005022664.tif 000014